(57)【要約】【課題】  大型かつ大容量のコンデンサを有しながら、より小型化したデジタルカメラを提供すること。【解決手段】  被写体からの光束を取り込むためのレンズ光学系５と、被写体側から前記レンズ光学系５に向かって前記レンズ光学系５の左側に配設された電池ボックス９と、前記レンズ光学系５と前記電池ボックス９の間に配設されたメインコンデンサ１１と、前記レンズ光学系５、前記電池ボックス９、及び前記メインコンデンサ１１を収容する筐体３３を有し、前記レンズ光学系５の光軸に略直交する平面に投影された前記電池ボックス９の長軸に対して前記平面に投影された前記メインコンデンサ１１の長軸が傾斜して配設され、前記電池ボックス９と前記メインコンデンサ１１の間に前記電池ボックス９の接点スペース１３を確保したデジタルカメラ７。【選択図】  図１
2006094017.tif 000002
【特許請求の範囲】
【請求項１】
被写体からの光束を取り込むためのレンズ光学系と、
被写体側から前記レンズ光学系に向かって前記レンズ光学系の左側に配設された電池ボックスと、
前記レンズ光学系と前記電池ボックスの間に配設されたメインコンデンサと、
前記レンズ光学系、前記電池ボックス、及び前記メインコンデンサを収容する筐体を有し、
前記レンズ光学系の光軸に略直交する平面に投影された前記電池ボックスの長軸に対して前記平面に投影された前記メインコンデンサの長軸が傾斜して配設され、前記電池ボックスと前記メインコンデンサの間に前記電池ボックスの接点スペースを確保したことを特徴とするデジタルカメラ。
【請求項２】
前記メインコンデンサは、当該メインコンデンサの右側部が前記レンズ光学系の外周部に隣接して配設されていることを特徴とする請求項１に記載のデジタルカメラ。
【請求項３】
前記レンズ光学系で結像される被写体像を撮像する固体撮像素子と、前記固体撮像素子からの電気信号を処理する制御部とを含む回路基板を、更に具備することを特徴とする請求項１または２に記載のデジタルカメラ。
【請求項４】
前記被写体側から前記レンズ光学系に向かって前記レンズ光学系の右上に配設された補助光発光装置と、
前記補助光発光装置の下部に配設され、前記レンズ光学系を駆動するレンズ駆動装置と、
前記補助光発光装置の発光部の背後に配設され、光路を略９０度折り曲げるミラーを内蔵する電子ビューファインダと、を更に具備することを特徴とする請求項１または２または３に記載のデジタルカメラ。
【請求項５】
前記電子ビューファインダの下部に配設された画像表示装置と、
前記電子ビューファインダと前記画像表示装置とに近接して配設された背面操作部とを、前記前記回路基板の前記固体撮像素子を有する面とは反対側に、更に具備することを特徴とする請求項１から４のいずれか１項に記載のデジタルカメラ。
【請求項６】
前記回路基板、前記メインコンデンサ、前記電池ボックス、及び前記レンズ光学系の上部にわたって配設された上部操作部と、を更に具備することを特徴とする請求項１から５のいずれか１項に記載のデジタルカメラ。
【請求項７】
前記回路基板の一方の側面部に配設されたメモリカードスロットと、
前記メモリカードスロットに対向する他方の側面部に設けられた外部入出力端子部と、を更に具備することを特徴とする請求項１から６のいずれか１項に記載のデジタルカメラ。
【発明の詳細な説明】
【技術分野】
【０００１】
本発明は、デジタルカメラに関し、特にストロボ発光用の大型コンデンサを有する小型のデジタルカメラに関する。
【背景技術】
【０００２】
従来、デジタルカメラに用いられる各種の部材の小型化に伴ってデジタルカメラ本体の小型化が進展している。そして、各種部材の中で補助光発光装置用のコンデンサは、補助光発光装置の発光光量を確保するためにできる限り大容量のものが使用されている。大容量のコンデンサはサイズが大きいために、撮影レンズをカメラ筐体の中心から右側（被写体側から撮影レンズに向かって）にずらし、かつカメラ筐体の左側に電池ボックスを配置して撮影レンズと電池ボックスとの間に電池ボックスの長軸と補助光発光装置用のコンデンサの長軸とが略平行になるように両者を近接して配設することでデジタルカメラの小型化を図っている（例えば、特許文献１参照。）。
【特許文献１】特開２００４−４５８２０号公報
【発明の開示】
【発明が解決しようとする課題】
【０００３】
従来、電池ボックス内に設けられている電池の接点スペースは、電池ボックスの長軸方向の端面（上端部または下端部）に設置されているため、電池ボックスの長軸方向のサイズ長くなりカメラの筐体が上下方向に大きくなる。この接点スペースを電池ボックスの上端部から電池ボックスの側面部に変更するとデジタルカメラをより小型化することが可能である。しかしながら、特許文献１で提案されているようなコンデンサの配置では、コンデンサの容量を大きくするためにコンデンサを大型化するとコンデンサと電池ボックスの長軸方向の長さが同程度となり、コンデンサと電池ボックスとの間に電池ボックスの長軸方向の全長に亘って接点スペースのための空間ができてしまう。このためデジタルカメラの横幅が長くなりデジタルカメラが大型化するという問題がある。また、特許文献１の開示例では、撮影レンズをカメラ筐体の右側にずらして設置してあるため、把持する際、撮影レンズに指が被り易いという問題がある。
【０００４】
本発明は、上記課題に鑑みて行われたものであり、大型かつ大容量の補助光装置用のコンデンサを有しながら、より小型化したデジタルカメラを提供することを目的とする。
【課題を解決するための手段】
【０００５】
上記目的を達成するために、本発明は、被写体からの光束を取り込むためのレンズ光学系と、被写体側から前記レンズ光学系に向かって前記レンズ光学系の左側に配設された電池ボックスと、前記レンズ光学系と前記電池ボックスの間に配設されたメインコンデンサと、前記レンズ光学系、前記電池ボックス、及び前記メインコンデンサを収容する筐体を有し、前記レンズ光学系の光軸に略直交する平面に投影された前記電池ボックスの長軸に対して前記平面に投影された前記メインコンデンサの長軸が傾斜して配設され、前記電池ボックスと前記メインコンデンサの間に前記電池ボックスの接点スペースを確保したことを特徴とするデジタルカメラを提供する。
【０００６】
また、本発明にかかるデジタルカメラでは、前記メインコンデンサは、当該メインコンデンサの右側部が前記レンズ光学系の外周部に隣接して配設されていることが好ましい。
【０００７】
また、本発明にかかるデジタルカメラは、前記レンズ光学系で結像される被写体像を撮像する固体撮像素子と、前記固体撮像素子からの電気信号を処理する制御部とを含む回路基板を、更に具備することが好ましい。
【０００８】
また、本発明にかかるデジタルカメラは、前記被写体側から前記レンズ光学系に向かって前記レンズ光学系の右上に配設された補助光発光装置と、前記補助光発光装置の下部に配設され、前記レンズ光学系を駆動するレンズ駆動装置と、前記補助光発光装置の発光部の背後に配設され、光路を略９０度折り曲げるミラーを内蔵する電子ビューファインダと、を更に具備することが好ましい。
【０００９】
また、本発明にかかるデジタルカメラは、前記電子ビューファインダの下部に配設された画像表示装置と、前記電子ビューファインダと前記画像表示装置とに近接して配設された背面操作部とを、前記前記回路基板の前記固体撮像素子を有する面とは反対側に、更に具備することが好ましい。
【００１０】
また、本発明にかかるデジタルカメラは、前記回路基板、前記メインコンデンサ、前記電池ボックス、及び前記レンズ光学系の上部にわたって配設された上部操作部と、を更に具備することが好ましい。
【００１１】
また、本発明にかかるデジタルカメラは、前記回路基板の一方の側面部に配設されたメモリカードスロットと、前記メモリカードスロットに対向する他方の側面部に設けられた外部入出力端子部と、を更に具備することが好ましい。
【発明の効果】
【００１２】
本発明によれば、大型かつ大容量の補助光発光装置用のコンデンサを有しながら、より小型化したデジタルカメラを提供することができる。
【発明を実施するための最良の形態】
【００１３】
以下、本発明の一実施の形態に関し図面を参照しつつ説明する。
【００１４】
図１は、本発明の実施の形態にかかるデジタルカメラの正面の部材配置の概略図（正面図）である。図２は、本発明の実施の形態にかかるデジタルカメラの右側面の部材配置の概略図（右側面図）である。図３は、本発明の実施の形態にかかるデジタルカメラの背面の部材配置の概略図（背面図）である。図４は、本発明の実施の形態にかかるデジタルカメラの上面の部材配置の概略図（左側面図）である。なお、図１、及び図３において、デジタルカメラの正面に向かって上下左右を規定し、上下左右の文字で示している。
【００１５】
図１から図４において、デジタルカメラ７（以後、カメラと記す）の正面側には、被写体からの光束を取り込み回路基板１に配設された固体撮像素子３に被写体像を結像する撮影レンズ５が、カメラ７の略中央部分に配設されている。
【００１６】
撮影レンズ５の左側（紙面に向かって左側）には、カメラ７の後述する各部材に電力を供給するための電池を収納する電池ボックス９が、電池ボックス９の長軸方向を紙面の上下方向に略平行になるように配置されている。
【００１７】
撮影レンズ５と電池ボックス９との間に、メインコンデンサ１１（以後、コンデンサと記す）が長軸方向を電池ボックス９の長軸方向に対して右に傾けて配設されている。
【００１８】
この様に、コンデンサ１１の長軸方向を右に傾けて配置したことにより、電池ボックス９の上部は、下部に比べて左右方向の幅を広く確保することが可能となる。そこで左右方向の幅が広い電池ボックス９の上部の右側部にカメラ７の各部材に電力を供給する際の接点を配置する接点スペース１３を設けている。そして、電池ボックス９の右側面の傾斜はコンデンサ１１の左側面の傾斜と略同一に形成され、電池ボックス９の右側面とコンデンサ１１の左側面とがコンデンサ１１の全長に亘って近接できるように構成されている。また、コンデンサ１１は、その右側部が撮影レンズ５の外周部に隣接して設けられている。
【００１９】
この様に構成することで、電池ボックス９の上下方向の全長を短くすることができると共に、撮影レンズ５と電池ボックス９との間隔を最小にすることができ、大型のコンデンサ１１を他の場所に配置した場合に比べカメラ７をよりコンパクトに構成することが可能になる。また、撮影レンズ５をカメラ７の中央部近傍に配置していることから、把持する際、撮影レンズに指が被さる虞も少なく、かつカメラ７を把持しやすくなる。
【００２０】
撮影レンズ５の右側上部には、被写体の明るさが不足している時などに被写体に向かって補助光を照射する、補助光発光装置１５が配設されている。
【００２１】
撮影レンズ５の右側下部で補助光発光装置１５の下方には、撮影レンズ５を光軸方向への移動するためのレンズ駆動装置１７が配設されている。レンズ駆動装置１７は、撮影レンズ５のズーミングの際や、被写体への焦点調節を行う際に撮影レンズ５の移動レンズを光軸方向に移動させる。
【００２２】
また、図２に示すように、補助光発光装置１５の後側でレンズ駆動装置１７の上方部には、光路を９０度折り曲げた略Ｌ字形状の電子ビューファンダ１９（ＥＶＦ）が、ファインダ開口部１９ａをカメラの背面（図２中の右側）に向けて配設されている。電子ビューファインダ１９は、レンズ駆動装置１７側に延在する部分の内部に電子画像表示装置１９ｂが配置され、電子画像表示装置１９ｂに表示された被写体像やカメラの各種情報等が、上下軸に対して略４５度傾けて配置されたミラー１９ｃで反射されて、ファインダ開口部１９ａで撮影者に観察される。電子ビューファインダ１９のミラー１９ｃが設置された部分は、角が略４５度の傾斜でカットされている。この切り取られた面に対向する補助光発光装置１５の背面部も略４５度の傾斜でカットされ、この両カット部が近接して配置されている。
【００２３】
この様に補助光発光部１５と電子ビューファインダ１９を配置することにより、カメラ７の正面から背面に亘る奥行き方向の距離を短くすることが可能になる。
【００２４】
また、図２、及び図３に示すように、レンズ駆動装置１７の背後で電子ビューファインダ１９の下方部には、回路基板１の側面部に外部機器とのデータの送受信を行う外部入出力端子２１が配設されている。
【００２５】
回路基板１の背面側で電子ビューファインダ１９の下方部には、固体撮像素子３によって撮像された被写体像やカメラ７の各種情報を表示し観察可能にする画像表示装置２３が配設されている。画像表示装置２３は、液晶表示装置（ＬＣＤ）等の表示デバイスを使用するがこれに限られない。
【００２６】
また、図３に示すように、回路基板１の背面側に略Ｔ字状に形成され、各種操作ボタン等が配置された背面操作部２５が、電子ビューファインダ１９と画像表示装置２３の右側部と画像表示装置２３の上辺部に接するように配設されている。
【００２７】
この背面操作部２５には、撮影条件等の各種条件を設定するファンクションキー、撮影レンズ５を移動してズーミングを行うズームスイッチ、撮影モード（静止画、動画等）を選択するモード選択スイッチ、画像表示を電子ビューファインダ１９にするか画像表示装置２３にするかを切り替える画像表示切替スイッチ等のカメラ７を制御する各種のスイッチ類が設けられている。
【００２８】
回路基板１の右側部（図３中で右側、図４中左側）には、固体撮像素子３で撮像された画像を記録するメモリカード２７を挿脱するメモリカードスロット（ＣＮ）２９が設けられている。
【００２９】
また、図４に示すように、回路基板１、電池ボックス９、メインコンデンサ１１、及び撮影レンズ１１の上方部には、上面操作部３１が設けられている。上面操作部３１には、レリーズボタンや電源スイッチ等が設けられている。
【００３０】
この様にして、上記それぞれの部材が回路基板１の周りに固定手段によって所定位置に固定され、図２に示す筐体３３、３３内に収納されてカメラ７が構成されている。
【００３１】
上述のように各部材を配設することで、撮影レンズ５をカメラ７の中心近傍に配置して両手でカメラ７を持ちやすくすると共に、大光量の補助光発光装置１５に対応できる大容量のコンデンサ１１を有しながら、より小型化したカメラ７の構成を可能にしている。
【００３２】
なお、上述の実施の形態は例に過ぎず、上述の構成や形状に限定されるものではなく、本発明の範囲内において適宜修正、変更が可能である。
【図面の簡単な説明】
【００３３】
【図１】本発明の実施の形態にかかるデジタルカメラの正面の部材配置の概略図（正面図）である。
【図２】本発明の実施の形態にかかるデジタルカメラの右側面の部材配置の概略図（右側面図）である。
【図３】本発明の実施の形態にかかるデジタルカメラの背面の部材配置の概略図である。
【図４】本発明の実施の形態にかかるデジタルカメラの上面の部材配置の概略図である。
【符号の説明】
【００３４】
１      回路基板
３      固体撮像素子
５      撮影レンズ
７      デジタルカメラ（カメラ）
９      電池ボックス
１１    メインコンデンサ（コンデンサ）
１３    接点ペース
１５    補助光発光装置
１７    レンズ駆動装置
１９    電子ビューファンダ
２１    外部入出力端子
２３    画像表示装置
２５    背面操作部
２７    メモリカード
２９    メモリカードスロット
３１    上面操作部
【図１】
2006094017.tif 000003
【図２】
2006094017.tif 000004
【図３】
2006094017.tif 000005
【図４】
2006094017.tif 000006